(57)【特許請求の範囲】
【請求項１】
透明の定規本体の一つの長辺に沿ってその一方の面に測定寸法を表す目盛線を表示し、前記一つの長辺を上側にした状態における前記目盛線のうちの最も左端又は右端の目盛線を基準位置として、前記定規本体の一方又は他方のいずれかの面において、前記基準位置の目盛線の近傍位置に漢数字の〇を寸法表記し、前記基準位置からの寸法が偶数漢数字で表わされる目盛線の近傍位置に偶数漢数字で縦書きに寸法表記して構成され、前記定規本体を左右反転することにより、右利き用にも左利き用にもなるようにしたことを特徴とする左右両用定規。
【請求項２】
前記測定寸法が十センチメートルであり、前記寸法表記の偶数漢数字が二、四、六、八、十であることを特徴とする請求項１記載の左右両用定規。
【請求項３】
前記測定寸法が二十センチメートルであり、前記寸法表記の偶数漢数字が二、四、六、八、十、十二、十四、十六、十八、二十であることを特徴とする請求項１記載の左右両用定規。
【請求項４】
前記測定寸法が三十センチメートルであり、前記寸法表記の偶数漢数字が二、四、六、八、十、十二、十四、十六、十八、二十、二二、二四、二六、二八であり、さらに縦書きの漢数字の三十による寸法表記を行うことを特徴とする請求項１記載の左右両用定規。
【請求項５】
前記定規本体の一方又は他方のいずれかの面に右利き用又は左利き用の手のマークを付したことを特徴とする請求項１乃至４のいずれか１項に記載の左右両用定規。
【請求項６】
前記定規が直線定規であることを特徴とする請求項１乃至５のいずれか１項に記載の左右両用定規。
【請求項７】
前記定規が巻尺であることを特徴とする請求項１乃至５のいずれか１項に記載の左右両用定規。
【発明の詳細な説明】
【技術分野】
【０００１】
本発明は、物の寸法を測ったり、線を引いたりするのに、利き手が右手でも左手でも不便なく使用できる左右両用定規に関する。
【背景技術】
【０００２】
物の寸法を測ったり、線を引いたりするための定規は、紙面等の対象物に当てられる細長い透明な定規本体を備え、この定規本体の一つの長辺に沿ってその裏面に測定寸法を表す長辺に垂直な短線分の目盛線が、例えばミリメートル単位等の所定間隔で刻印又は印刷等により所定寸法の長さに亘って表示され、目盛線の近傍に、例えばセンチメートル単位等の等間隔で刻印又は印刷等により寸法表記が行われている。
【０００３】
この寸法表記の数字配列は、目盛線が表示された長辺を上側にしたときに、最も左端の目盛線に基準位置の数字０を付し、右側へ行くに従って順に大きな数字を付すようになっている（例えば特許文献１を参照）。
【０００４】
普通の定規の寸法表記は、右利きの人が使用するのに便利なように、上記のごとく、左から右への数字配列になっている。したがって、左利きの人が物の長さを測定するには普通の定規は不便である。また右利きの使用者でも、物の長さを右から左方向に測定する場合には便利でない。
【０００５】
一方、左利き専用の定規も市販されてはいるが、使用者の範囲が限られる。そこで普通の定規に逆の方向の数字配列に数字を付け加えることもあるが、定規の寸法表記が煩雑になる欠点がある。
【特許文献１】特許第３４６６０８６号公報（図１）
【発明の開示】
【発明が解決しようとする課題】
【０００６】
したがって、本発明の課題は、定規の寸法表示を煩雑にすることなく、簡単に右利き用にも左利き用にも転換して、右利きの人も左利きの人も不便なく使用できるようにした左右両用定規を提供することである。
【課題を解決するための手段】
【０００７】
上記目的を達せするために、第１の発明は、透明の定規本体の一つの長辺に沿ってその一方の面に測定寸法を表す目盛線を表示し、前記一つの長辺を上側にした状態における前記目盛線のうちの最も左端又は右端の目盛線を基準位置として、前記定規本体の一方又は他方のいずれかの面において、前記基準位置の目盛線の近傍位置に漢数字の〇を寸法表記し、前記基準位置からの寸法が偶数漢数字で表わされる目盛線の近傍位置に偶数漢数字で縦書きに寸法表記して構成され、前記定規本体を左右反転することにより、右利き用にも左利き用にもなるようにしたことを特徴とする。
【０００８】
第１の発明によれば、定規の寸法表記に用いた漢数字の〇及び偶数漢数字は、字形が左右対称であり、定規の左右を反転して裏返すと、上面から見た寸法表記の数字が裏返す前と後では同一字形で大きさの順を逆にして現れる。したがって、定規を上面から見た寸法表記の数字が右側に行くほど大きくなる右利き用にも、左側に行くほど大きくなる左利き用にも転換でき、その転換のために定規の寸法表示が煩雑になることもない。
【０００９】
第２の発明は、前記測定寸法が十センチメートルであり、前記寸法表記の偶数漢数字が二、四、六、八、十であることを特徴とする。
【００１０】
これにより、右利きの人も左利きの人も、不便なく１０ｃｍまでの物の長さを測ったりすことができる。
【００１１】
第３の発明は、前記測定寸法が二十センチメートルであり、前記寸法表記の偶数漢数字が二、四、六、八、十、十二、十四、十六、十八、二十であることを特徴とする。
【００１２】
これにより、右利きの人も左利きの人も、不便なく２０ｃｍまでの物の長さを測ったりすることができる。
【００１３】
第４の発明は、前記測定寸法が三十センチメートルであり、前記寸法表記の偶数漢数字が二、四、六、八、十、十二、十四、十六、十八、二十、二二、二四、二六、二八であり、さらに縦書きの漢数字の三十による寸法表記を行うことを特徴とする。
【００１４】
これにより、右利きの人も左利きの人も、不便なく３０ｃｍまでの物の長さを測ったりすることができる。
【００１５】
第５の発明は、前記定規本体の一方又は他方のいずれかの面に右利き用又は左利き用の手のマークを付したことを特徴とする。
【００１６】
これによれば、例えば右利き用の定規を構成する場合に、上面から見て右手のマークを付ければ、定規を左右反転して左利き用の定規を構成する場合には、マークが左手の形に現れるので、定規が右利き用か、左利き用かを簡単に確認して使用することができる。
【００１７】
第６の発明は、前記定規が直線定規であることを特徴とする。
【００１８】
これにより、右利きの人も左利きの人も、不便なく直線を引いたり、物の長さを測ることができる。
【００１９】
第７の発明は、前記定規が巻尺であることを特徴とする。
【００２０】
これにより、右利きの人も左利きの人も、不便なく物の長さを測ったりすることができる。
【発明の効果】
【００２１】
本発明の左右両用定規によれば、定規の寸法表示を煩雑にすることなく、簡単に右利き用にも左利き用にも転換して、右利きの人も左利きの人も不便なく使用することができる。
【発明を実施するための最良の形態】
【００２２】
以下、本発明に係る左右両用定規の好適な実施形態について、図面を参照して詳細に説明する。図１は本発明の左右両用定規の一実施形態を示す図であり、（ａ）は平面図、（ｂ）は裏面図、（ｃ）は上面図、（ｄ）は右側面図、（ｅ）は利き手を表す手のマークの拡大図である。
【００２３】
本実施形態の左右両用定規１は、ＰＥＴ等の透明樹脂から形成された測定寸法が２０ｃｍの直線定規であり、図１（ａ）及び（ｂ）に示すように、定規本体２の一つの長辺の上側の長辺３に沿って、測定寸法を表す目盛線６がミリメートル単位で刻印又は印刷等により２０ｃｍの範囲に渡って表示されている。
【００２４】
この定規本体２には、図１（ａ）に示すように、表側の面４から見て右に行くほど寸法表記の数値が大きくなるように、目盛線６のうちの最も左端の目盛線６ａを基準位置として、基準位置の目盛線６ａの延長上の近傍位置に漢数字の〇を寸法表記し、基準位置からの寸法が偶数漢数字で表わされる２，４，６，８，１０，１２，１４，１６，１８，２０ｃｍの目盛線の延長上の近傍位置に、二，四，六，八，十，十二，十四，十六，十八，二十の偶数漢数字７を縦書きにして寸法表記を行っている。定規本体２の右端部の下端部には、利き手を表す手のマーク８が右手を表すように白抜き状に表示されている。なお、本発明において、偶数漢数字とは二，四，六，八，十及びその組み合わせを言う。
【００２５】
本例では、これらの目盛線６及び偶数漢数字７等による寸法表記は、図１（ｃ）に示すように、通常通り、定規本体２の裏側の面５に行ったが、定規本体２の表側の面４に行ってもよい。定規本体２は、図１（ｄ）に示すように、上側の辺３に向けて厚さを薄くし、表裏の面４，５を上側の辺３に向うテーパ面としている。これにより、定規１を右利き用、左利き用のいずれで使用しても、上記目盛線６及び偶数漢数字７等の寸法表記の視認性を良くすることができ、また定規１を紙等の対象物に当てて直線を引きやすくなる。利き手を表す手のマーク８も定規本体２の裏側の面５に表示したが、定規本体２の表側の面４に表示してもよい。
【００２６】
定規の寸法表記に用いた漢数字の〇及び偶数漢数字の二〜二十は、字形が左右対称であるので、定規１の左右を反転して裏返すと、上面から見た寸法表記の数字が裏返す前と同一字形で大きさの順を逆にして現れる。すなわち、図１（ａ）に示すように、直線定規１の表側の面４を上面とした状態では、上面から見た寸法表記が偶数漢数字で右側に行くほど大きく現れ、右利き用の２０ｃｍの定規を構成する。直線定規１の左右を反転して裏返し、裏側の面５を上面とした状態では、図１（ｂ）に示すように、上面から見た寸法表記が偶数漢数字で左側に行くほど大きく現れ、左利き用の２０ｃｍの定規を構成する。
【００２７】
したがって、本実施形態によれば、定規１の寸法表示を煩雑にすることなく、簡単に定規１を右利き用にも左利き用にも転換して、２０ｃｍまでの直線を引いたり、物の長さを測ることができる。また、利き手を表す手のマーク８も、直線定規１が右利き用の定規を構成する場合には右手の形に現れ、定規１が左利き用の定規を構成する場合には左手の形に現れるので、定規１が右利き用か、左利き用かを簡単に確認して使用することができる。
【００２８】
以上の実施形態では、測定寸法が２０ｃｍの直線定規を説明したが、測定寸法は１０ｃｍ、３０ｃｍ等でもよい。測定寸法が３０ｃｍの場合の直線定規を図２に示す。
【００２９】
本実施形態において、直線定規１０は、定規本体２の一つの長辺の上側の長辺３に沿って目盛線６がミリメートル単位で３０ｃｍの範囲に渡って表示され、その目盛線６のうちの基準位置の目盛線６ａに対し漢数字の〇を表記し、基準位置からの寸法が偶数漢数字で表わされる２，４，６，８，１０，１２，１４，１６，１８，２０，２２，２４，２６，２８ｃｍの目盛線に対し、図１に示した実施形態に準じて、二，四，六，八，十，十二，十四，十六，十八，二十，二二，二四，二六，二八の偶数漢数字を縦書きにして寸法表記し、さらに３０ｃｍの目盛線に対し漢数字の三十を縦書きにして寸法表記している。
【００３０】
本実施形態のその他の構成は、図１の実施形態と同様であり、図２において、図１に付した符号と同一の符号は同一の要素を示す。
【００３１】
本実施形態によれば、図２（ａ）に示すように、直線定規１０は、表側の面４を上面とした状態で、寸法表記の数字が偶数漢数字で右側に行くほど大きく現れ、右利き用の３０ｃｍの定規を構成し、図２（ｂ）に示すように、定規１０の左右を反転して裏返し、裏側の面５を上面とすると、寸法表記の数字が偶数漢数字で左側に行くほど大きく現れ、左利き用の３０ｃｍの定規を構成する。したがって、定規１０の寸法表示を煩雑にすることなく、３０ｃｍまでの直線を引いたり、物の長さを測ることができる等、前の実施形態と同様な作用効果を奏する。
【００３２】
以上の実施形態では、いずれも、直線定規を例にとって本発明を説明したが、本発明はこれに限られず、透明プラスチック製の測定テープの巻尺や目盛線付の三角定規等にも適用でき、同様な作用効果を奏する。
【図面の簡単な説明】
【００３３】
【図１】本発明の左右両用定規の一実施形態を示す図であり、（ａ）は平面図、（ｂ）は裏面図、（ｃ）は上面図、（ｄ）は右側面図、（ｅ）は利き手を表す手のマークの拡大図である。
【図２】本発明の左右両用定規の他の実施形態を示す図であり、（ａ）は平面図、（ｂ）は裏面図である。
【符号の説明】
【００３４】
１，１０  左右両用直線定規
２        定規本体
３        上辺
４        表側の面
５        裏側の面
６        目盛線
６ａ      基準位置の目盛線
７        偶数漢数字
８        利き手を表す手のマーク
【図１】
0004989410.tif 000002
【図２】
0004989410.tif 000003